(57)【特許請求の範囲】
【請求項１】
車両に搭載された車椅子の一側部側の車体所定部位に固定された第１リトラクタと、
該第１リトラクタに引き出し自在に巻装された第１シートベルトと、
該第１シートベルトの先端に固定された係合部材と、
前記第１シートベルトに摺動自在に取り付けられたスルータングと、
前記車椅子の他側部側の車体所定部位に固定されて、前記スルータングが係脱可能なバックル部材と、
前記第１リトラクタ側の車体上方位置に固定された第２リトラクタと、
該第２リトラクタに引き出し自在に巻装された第２シートベルトと、
該第２シートベルトの先端に固定されて、前記係合部材に係脱可能な係止部材とを備えたことを特徴とする車椅子用シートベルト装置。
【請求項２】
前記車椅子の一側部側の車体所定部位は、車椅子用リフターあるいは車内パネルまたはフロアパネルであることを特徴する請求項１に記載の車椅子用シートベルト装置。
【請求項３】
前記車椅子の他側部側の車体所定部位は、車内パネルあるいはフロアパネルであることを特徴とする請求項1または２に記載の車椅子用シートベルト装置。
【請求項４】
前記係合部材を第１タングあるいは第１バックルによって形成する一方、前記係止部材を前記第１タングまたは第１バックルにそれぞれ対応して係止する第２タングまたは第２バックルによって形成したことを特徴とする請求項１〜３のいずれかに記載の車椅子用シートベルト装置。
【請求項５】
前記第２リトラクタの近傍の車体側に、前記第２シートベルトを摺動可能に保持するスルーアンカーを固定したことを特徴と請求項１〜４のいずれかに記載の車椅子用シートベルト装置。
【発明の詳細な説明】
【０００１】
【発明の属する技術分野】
本発明は、車椅子用のいわゆる３点式のシートベルト装置に関する。
【０００２】
【従来の技術】
近時、車椅子に人を座らせたままで乗車させるリフター装置が種々提供されているが、さらに、車両走行中における車椅子に座った人の安全を確保するために、車椅子用のシートベルト装置もいろいろ工夫されており、その一つとして、例えば図２及び図３に示すようなものがある。
【０００３】
概略を説明すれば、この従来の車椅子用シートベルト装置は、例えば車体１の後部室に有する図外のリフター機構などに設けられ、このリフター機構に搭載された車椅子２の一側部側の車内パネル３に、リトラクタ４が固定されていると共に、その反対側の車内パネル５に補助ベルトバックル６が固定されている。さらに前記リトラクタ４側の車内側ルーフパネル（図示せず）には、長さが一定に固定された比較的短いベルトバックル７が吊設されている。
【０００４】
また、前記リトラクタ４には、シートベルト８が引き出し自在に巻装されており、このシートベルト８は、先端部に前記ベルトバックル７に係止するタング９が固定されていると共に、その途中には該シートベルト８上を摺動して位置決め自在なスルータング１０が設けられている。
【０００５】
一方、前記補助ベルトバックル６には、補助ベルト１１の一端部に設けられた補助タング１２が係止されており、また補助ベルト１１の他端部に設けられた補助バックル１３に前記スルータング１０が係止されている。
【０００６】
したがって、このシートベルト装置を使用するには、まず、シートベルト８のタング９を持って該シートベルト８をリトラクタ４から上方へ引き出し、そのまま車椅子２の一方の肘掛け２ａの下を通して着座している人Ｈの脚の上を横方向から通過させて反対側の肘掛け２ｂの下を通し、そのまま人Ｈの前を斜めに渡して一方の肩の上方位置でタング９をベルトバックル７に係止する。続いて、図３に示すように、前記スルータング１０を補助ベルト１１の補助バックル１３に係止させる。これによって、シートベルト８の装着作業が完了する。
【０００７】
【発明が解決しようとする課題】
【０００８】
しかしながら、前記従来のシートベルト装置にあっては、シートベルト８の先端のタング９を、車体のルーフパネルに固定されて比較的高い位置にある長さの短い固定的なベルトバックル７に係止するようになっているため、この係止作業を着座した人Ｈが後向きなって肩の上方位置で行わなければならない。このため、この係脱作業が困難になり、煩わしい作業が余儀なくされる。
【０００９】
しかも、シートベルト８をベルトバックル７まで大きく取り回す必要があることから、この点においても車椅子に着座した人が煩わしい作業を余儀なくされる。また、リトラクタ４に対するシートベルト８の巻き取り量が多くなり、つまりシートベルト８が長くなってリトラクタ４に巻き取れなくなるおそれがあると共に、途中で支持する長い補助ベルト１１も必要になってくる。
【００１０】
そこで、本発明は、車椅子に着座した人がシートベルトの係脱作業を容易に行うことができ、かつ長さが短く補助ベルトが不要な車椅子用シートベルト装置を提供するものである。
【００１１】
【課題を解決するための手段】
【００１２】
請求項１に記載の発明は、車両に搭載された車椅子の一側部側の車体所定部位に固定された第１リトラクタと、該第１リトラクタに引き出し自在に巻装された第１シートベルトと、該第１シートベルトの先端に固定された係合部材と、前記第１シートベルトに摺動自在に取り付けられたスルータングと、前記車椅子の他側部側の車体所定部位に固定されて、前記スルータングが係脱可能なバックル部材と、前記第１リトラクタ側の車体上方位置に固定された第２リトラクタと、該第２リトラクタに引き出し自在に巻装された第２シートベルトと、該第２シートベルトの先端に固定されて、前記係合部材に係脱可能な係止部材とを備えたことを特徴としている。
【００１３】
請求項２に記載の発明は、前記車椅子の一側部側の車体所定部位は、車椅子用リフターあるいは車内パネルまたはフロアパネルであることを特徴としている。
【００１４】
請求項３に記載の発明は、前記車椅子の他側部側の車体所定部位は、車内パネルあるいはフロアパネルであることを特徴としている。
【００１５】
請求項４に記載の発明は、前記係合部材を第１タングあるいは第１バックルによって形成する一方、前記係止部材を前記第１タングまたは第１バックルにそれぞれ対応して係止する第２タングまたは第２バックルによって形成したことを特徴としている。
【００１６】
請求項５に記載の発明は、前記第２リトラクタの近傍の車体側に、前記第２シートベルトを摺動可能に保持するスルーアンカーを固定したことを特徴としている。
【００１７】
【発明の実施の形態】
【００１８】
以下、本発明にかかる車椅子用シートベルト装置の一実施形態を図１に基づいて詳述する。
【００１９】
すなわち、この車椅子用シートベルト装置は、車両の例えば後部から車椅子２１を昇降自在に支持し車体２０の一部を構成するリフター機構２２などに設けられており、車椅子２１の一側部側にあるリフター機構２２の一側壁２２ａに固定された第１リトラクタ２３と、該第１リトラクタ２３に引き出し自在に巻装された第１シートベルト２４と、前記リフター機構２２の他側壁２２ｂに固定されたバックル部材２５と、前記第１リトラクタ２３側の車体パネル２０ａ上方位置に固定された第２リトラクタ２６と、該第２リトラクタ２６に引き出し自在に巻装された第２シートベルト２７とから主として構成されている。
【００２０】
前記第１シートベルト２４は、先端部に係合部材であるバックル２８が固定されていると共に、途中には前記バックル部材２５に係脱可能なスルータング２９が所定の位置に摺動自在に取り付けられている。
【００２１】
一方、前記第２シートベルト２７は、先端部に前記第１シートベルト２４のバックル２８に係脱可能な係止部材であるタング３０が固定されていると共に、その途中がスルーアンカー３１に摺動自在に支持されている。
【００２２】
このスルーアンカー３１は、基部が前記車体パネル２０ａに固定されていると共に、先端部に設けられた案内部３１ａの長溝によって第２シートベルト２７が摺動自在に支持されかつ引き出し方向を規定するようになっている。
【００２３】
したがって、この車椅子用シートベルト装置により、第１シートベルト２４を装着するには、まず、先端部のバックル２８を持って第１リトラクタ２３から前記第１シートベルト２４を上方へ引き出すと共に、スルータング２９を掴んで、そのまま、一方の肘掛け２１ａの下を通して，着座している人（図示せず）膝の上を右横方向に引き出し、さらに他方の肘掛け２１ｂの下を通す。
【００２４】
その後、該スルータング２９をバックル部材２５に係止させる。この時、バックル２８を右手に持って、人の手前側に位置させておく。
【００２５】
次に、左手で前記タング３０を持って第２シートベルト２７を第２リトラクタ２６から人の手前方向に引き出し、タング３０を、予め手前に置かれた前記バックル２８に係止させる。これによって、第１シートベルト２４を人の一方の肩まで傾斜状に取り回した装着作業が簡単に完了する。
【００２６】
すなわち、車椅子２１に着座した人は、後ろを向かずに、単に手を左側後上方に伸ばしてタング３０を持って第２シートベルト２７を手前に引き出すことによって、手前で第１シートベルト２４と係止させることができるため、その操作がきわめて容易になる。
【００２７】
しかも、第２リトラクタ２６に巻装された第２シートベルト２７を自由に引き出すことができることから、その分だけ第１シートベルト２４の長さを短くすることが可能になり、第１リトラクタ２３に十分に巻き取ることのできる長さに設定することができる。
【００２８】
さらに、前述のように、第１シートベルト２４の長さを第２シートベルト２７によって補うことができることから、第１シートベルト２４をバックル部材２５まで伸ばすのに十分な長さを確保できるため、従来のような補助ベルトなども不要になる。
【００２９】
また、前記スルーアンカー３１によって第２シートベルト２７の折り曲げ位置を自由に設定することができるため、第２シートベルト２７のタング３０を掴む位置を自由に変更することができる。したがって、第１シートベルト２４と第２シートベルト２７との係脱作業が容易になる。
【００３０】
なお、第１シートベルト２４の装着を解除するには、前述の係止作業と逆に行えば簡単に外すことが可能になる。
【００３１】
したがって、第１，第２シートベルト２４，２７及びバックル部材２５との係脱作業が極めて簡単に行えることになる。
【００３２】
本発明は、前記実施形態の構成に限定されるものではなく、例えば、前記第１シートベルト２４のバックル２８をタングに替え、また同時に第２シートベルト２７のタング２８をバックルに変更することも可能である。また、前記車椅子の一側部あるいは他側部側の車体所定位置は、リフター２２ばかりか車内パネルまたはフロアパネルであってもよい。
【００３３】
【発明の効果】
【００３４】
以上の説明で明らかなように、請求項１に記載の車椅子用シートベルト装置によれば、車椅子に着座した人は、後ろを向かずに、単に手を左右いずれか一方側の後ろ上方に伸ばして第２シートベルトを手前に引き出すことによって、人の手前で第１シートベルトと係止させることができるため、その操作がきわめて容易になる。
【００３５】
また、シートベルトをベルトバックルまで大きく取り回す必要がないことから、車椅子に着座した人がこの煩わしい作業を余儀なくされることがない。
しかも、第２リトラクタに巻装された第２シートベルトを自由に引き出すことができることから、その分だけ第１シートベルトの長さを短くすることが可能になり、第１リトラクタに十分に巻き取ることのできる長さに設定することができる。
【００３６】
さらに、前述のように、第１シートベルトの長さを第２シートベルトによって補うことができることから、第１シートベルトをバックル部材まで取り回すのに十分な長さを確保できるため、従来のような補助ベルトなども不要になる。
【００３７】
請求項２、３に記載の発明によれば、第１リトラクタやバックル部材の取り付け位置の自由度が高くなる。
【００３８】
請求項４に記載の発明によれば、係止部材や係合部材の選択の自由度が向上する。
【００３９】
請求項５に記載の発明によれば、前記スルーアンカーによって第２シートベルトの折り曲げ位置を自由に設定することができるため、第２シートベルトを引き出す位置を自由に変更することができる。したがって、第１シートベルトと第２シートベルトとの係脱作業をさらに容易に行うことが可能になる。
【図面の簡単な説明】
【図１】本発明にかかる車椅子用シートベルト装置の実施形態を示す概略斜視図である。
【図２】従来の車椅子用シートベルト装置を示す斜視図である。
【図３】同従来のシートベルト装置の一部拡大図である。
【符号の説明】
２０    車体
２０ａ    車体パネル
２１    車椅子
２２    リフター
２３    第１リトラクタ
２４    第１シートベルト
２５    バックル部材
２６    第２リトラクタ
２７    第２シートベルト
２８    バックル
２９    スルータング
３０    スルーアンカー
【図１】
0004132716.tif 000002
【図２】
0004132716.tif 000003
【図３】
0004132716.tif 000004